【手続補正書】
【提出日】平成15年1月30日(2003.1.30)
【手続補正１】
【補正対象書類名】明細書
【補正対象項目名】全文
【補正方法】変更
【補正の内容】
【書類名】明細書
【発明の名称】アンテナを組み付けるための方法
【特許請求の範囲】
【請求項１】特に携帯機器のための、円筒状に巻成されたワイヤ体から成る、共通の軸線上にらせん部と接触部とが一体的に相前後して配置されたアンテナを、内部においてほぼ回転対称的に形成されたケーシング（３）に組み付ける方法において、アンテナが接触部（６）においてまずケーシング（３）の上部開口に接合され、接触部（６）がケーシング（３）の円錐形部分においてセンタリングされ、接触部（６）が、
第１のスナップフック（１）上に載置され、アンテナをさらに押し込むことにより第１のスナップフック（１）が押し広げられ、アンテナがケーシング（３）内において、スナップフック（１）が係止された場合に終端位置を占めるようになっているか、又は、
アンテナの接合前に第１のスナップフック（１）が拡開され、アンテナが重力によって、垂直に起立したケーシング内において所定の位置に到達し、これに基づき、前もって拡開されていたスナップフック（１）が解放され、アンテナがケーシング内において固定され、次いでケーシング（３）がカバー（４）で閉鎖される
ことを特徴とする、アンテナを組み付ける方法。
【請求項２】前記第１のスナップフック（１）を押し広げるために、円筒状のピンが工具として使用され、このピンが、らせん部（５）を通過して接触部（６）に直接に作用するようになっている、請求項１記載の方法。
【請求項３】カバー（４）の中央に配置されたセンタリングピン（７）が、静止位置においてらせん部（５）に接触することなく、該らせん部（５）の移動範囲を制限するようになっている、請求項１又は２記載の方法。
【請求項４】ケーシング（３）内に予め取り付けられたアンテナが、携帯ケーシングに接合され、ケーシング（３）が第２のスナップフック（２）を介して携帯ケーシングに掛合させられると同時にプリント基板の接続箇所が接触部（６）に当接し、接触部（６）によって加えられるばね力によって接触箇所（９，１４）との間の押圧接触が存在する、請求項１から３までのいずれか１項記載の方法。
【発明の詳細な説明】
【０００１】
本発明は、特に携帯機器のためのアンテナを組み付ける方法に関する。
【０００２】
公知の携帯アンテナは例えば一体型アンテナであり、このアンテナは、携帯機器のケーシング内壁に適合されており、これにより外方に対して視覚的に現れない。この比較的製造コストの高い一体型アンテナは、特に一体型アンテナの容積が制限されている場合に、送受信効率が通常はヘリカルアンテナよりも悪いという欠点を有する。このことは、同じ蓄電池容量の場合に、２回の充電作業の間の作動時間を減じるか、もしくは同じ作動時間の場合に対応してより多くの蓄電池容量を必要とする。同様に、ベースステーションへの結合部が早期に破壊する虞がある。さらに、一体型アンテナが、帯域幅への極端な要求の場合に一体型アンテナとして実現不可能であるという可能性がある。
【０００３】
いわゆるヘリカルアンテナの形式でも携帯アンテナは公知である。このアンテナは主にワイヤから製造されており、らせん形に巻成された送受信部、すなわちらせん部と、接触部とから成り、この接触部は、送受信エネルギを携帯機器の平坦構造群に伝達するために連結されている。
【０００４】
欧州特許公開第０９８２７９４号明細書より、機械的に安定しておりかつプリント基板に接触させられた、保護ケーシングを備えたラジオアンテナが公知である。
【０００５】
欧州特許公開第０９８７７８８号から、らせん形に巻かれた第１の導体と、短いロッドの形式を有する第２の導体とを有する多数帯アンテナが公知であり、前記第２の導体はやはり、らせん部の自由端部に取り付けられている。
【０００６】
国際公開第９９／３１７５６号パンフレットは、間隔が種々異なっている種々異なる領域を備えた円筒状スプールの形式の、高周波信号の伝達及び受信のためのアンテナを説明している。
【０００７】
本発明の課題は、取付け方法が容易になるように、アンテナの組付けのためのコストの安い方法を提供することである。
【０００８】
この課題は、請求項１の特徴によって解決された。
【０００９】
有利な構成は従属請求項に示されている。
【００１０】
プリント基板若しくは平坦構造群との、本発明によるアンテナの接触は、図２に対応して押圧接触として行われることができる。
【００１１】
以下に実施例を概略的な図面を参照しながら説明する。
【００１２】
図１及び図２は、同じ内部構造を有するアンテナを有しており、図２には押圧接触の例が示されている。
【００１３】
図３及び図４は、接触部の構成の変化実施例を示しており、種々異なるばね作用が実現されている。
【００１４】
図５及び図６も、さらに異なる構成であり、押圧接触は接触箇所の押付けによって軸方向で提供され、接触部における最初は離間していた巻き条が互いに押し付けられる。
【００１５】
図７は、配属の、蓋付きのケーシングを備えたアンテナの分解図を示しており、第２のスナップフック（２）が携帯ケーシングへの係止のために働く。
【００１６】
図８Ａ及び図８Ｂは従来技術を示している。
【００１７】
図８Ａ及び８Ｂに示された従来技術は、送受信部（１５）及び接触部（６）を備えた技術を有している。接触部（６）は、回転対称的な部分とは明らかに異なっており、この回転対称的な部分は、平らに載置した場合に何らかの位置を占める。さらに、従来技術に基づく構成部分の位置は、接触部（６）の非対称的な形成によって決定され、取付けプロセスへの供給及び取扱い装置による収容の場合に前記のような問題を生ぜしめる。
【００１８】
専ら又は主に巻成及び／又は巻付けプロセスによって製造されるヘリカルアンテナの組付けが観察される。このようなアンテナは、例えば図１に示されている。このような巻成プロセスは引張りばね製造において使用される。この場合、図１に示したようなねじばねの端部における鳩目の代わりに、接触部の下端部には、巻成又は巻付けによって形成された端部が提供される。
【００１９】
巻成された接触部との押圧接触の利点は、取付け時に回転方向での位置決めが不要であるということである。さらに、線材直径と、巻き条直径と、互いに密接して配置された巻き条の数との対応する設計により、それぞれの所望のばね剛性が容易にアンテナに提供されることができる。接触させたい相手側部材の形状公差及び位置公差にも拘わらず、押圧接触は容易にかつ継続的に達成される。接触部は線材の多数の立体的な曲げによってのみ形成されるので、公知のヘリカルアンテナの製造はコストが高いにも拘わらず、このアンテナは広い使用範囲を有する。
【００２０】
例えば携帯電話の取付けのための、ヘリカルアンテナの自動化された供給は困難である。なぜならば、ばら荷の状態におけるアンテナが絡まる傾向があり、これにより自動的にばらされることが困難であるか又は全く不可能であるからである。
【００２１】
ヘリカルアンテナの別の利点は、らせん部の上端部に設けられた巻成された末端リングに基づき、有利な送受信特性が達成されるということである。
【００２２】
巻成技術によって製造される、アンテナの接触部の顕著な特徴は、図１から図４までに示したように、巻き体が、接触した状態においても互いに直接的な電気接触を有するということである。このことは、巻き体が、予負荷をかけられながら互いに当接するように製造されることにより達成される。このことが保証されないと、アンテナの送受信の質が低下する虞がある。
【００２３】
本発明によるアンテナ形式の別の利点は、アンテナが巻成機によってプラスチックチューブに直接に搬送されることができるということであり、このプラスチックチューブは、一方では例えばばら荷としての搬送時の損傷を回避し、他方ではアンテナを正確な位置で取付け機に提供することができる。これにより、例えば取付け機の場合に、慣用的な振動らせんコンベヤを省略することができる。
【００２４】
アンテナの予備取付け（図７）
図７において、正確な位置で準備されたケーシング（長手方向軸線垂直、上方へ開放した大きなケーシング開口）に、まず、接触部を備えたヘリカルアンテナがケーシングの開口内へ組み付けられる。接触部は、ケーシングの円錐形部分においてセンタリングされ、まずスナップフック１に載置される。
【００２５】
例えば段付けされた円筒形のピンを工具として用いてさらに押し込むことにより、ヘリカルアンテナの最終位置がケーシング内で達成されるまでスナップフック１は押し広げられる。段付けされたピンによって、押込み力は弾性的ならせん部ではなく、接触部の押圧剛性の部分にのみ作用する。
【００２６】
別の実施例においては、スナップフック１は、アンテナの組付けの前に、アンテナが例えば重力によって最終位置に到達するように広く開放させられる。次いで、スナップフック１は解放され、これによりアンテナをケーシングに固定する。
【００２７】
アンテナの取付けはカバーでケーシングを閉鎖することによって終了される。この場合、カバーの中央に設けられたセンタリングピンが、らせん部自体に接触することなくこのらせん部の移動範囲を制限する。これにより、衝撃負荷の場合に螺旋形部分の振動が制限され、この振動が迅速に減衰する。カバー自体は有利にはスナップ結合によってケーシングと結合される。
【００２８】
アンテナの押圧接触
取り付けられたアンテナ（ケーシング内にアンテナが配置され、ケーシング上にカバーが配置されている）は、携帯電話ケーシングに組み付けられ、スナップフック２と掛合させられる。この後、プリント基板がアンテナ長手方向軸線に対して垂直に携帯電話ケーシングに組み付けられ、例えばスナップフックを介して掛合させられる。この場合、接触箇所が接触部分の下端部に接触し、所要の接触圧は、接触部を側方へ曲げることによって生ぜしめられる（図２参照）。接触部の種々異なる構成により（図３及び図４）、接触部のばね系数は有利に形成されることができる。
【００２９】
押圧接触の別の原理が図５及び図６に示されている。図５は、予備取付けされたアンテナとプリント基板の接触箇所とを示している。所要の接触圧は、押圧ばねとして形成された、接触部の最後の下部の一巻きによって生ぜしめられる。接触していない状態においては、この巻き条は巻き条間隔を有している。図６に示したようにアンテナを携帯アンテナケーシングに押し込みかつ掛合させることにより、この巻き条は巻き条間隔２を成すように押し付けられ、これにより接触圧を生ぜしめる。
【００３０】
図７はアンテナの個々の構成部材を示している。
【図面の簡単な説明】
【図１】
アンテナの第１実施例を示す図である。
【図２】
押圧接触した状態における第１実施例のアンテナを示す図である。
【図３】
アンテナの第２実施例を示す図である。
【図４】
押圧接触した状態における第２実施例のアンテナを示す図である。
【図５】
アンテナの第３実施例を示す図である。
【図６】
接触した状態における第３実施例のアンテナを示す図である。
【図７】
配属の蓋付きのケーシングを備えたアンテナの分解図を示しており、第２のスナップフック（２）が携帯ケーシングに係合するために働く。
【図８】
従来技術を示している。
【符号の説明】
１  第１のスナップフック、  ２  第２のスナップフック、  ３  ケーシング、  ４  蓋、  ５  らせん部、  ６  接触部、  ７  センタリングピン、  ８  プリント基板、  ９  接触箇所、  １０  接合方向、  １１  接合方向、  １２  第１の巻き条間隔、  １３  第２の巻き条間隔、  １４  接触箇所、  １５  送受信部、  １６  上部の末端リング、  １７  下部の末端リング